(57)【特許請求の範囲】
【請求項１】
光源から射出された光束を画像情報に応じて変調する光変調装置、および前記光変調装置にて変調された光を投写する投写レンズを備えたプロジェクターであって、
前記投写レンズを保持する保持部と、
前記投写レンズおよび前記保持部を収納する外装筐体と、
前記外装筐体から突出し、前記投写レンズまたは前記保持部を、前記投写レンズの光軸に略直交する方向から挟持する挟持部と、を備え、
前記外装筐体は、前記光軸に対して互いに対向して配置される第１筐体および第２筐体を有し、
前記挟持部は、前記第１筐体および前記第２筐体に設けられていることを特徴とするプロジェクター。
【請求項２】
請求項１に記載のプロジェクターであって、
前記保持部は、前記挟持部に挟持される被挟持部、および前記光変調装置を取り付ける取付部を有していることを特徴とするプロジェクター。
【請求項３】
請求項１に記載のプロジェクターであって、
前記保持部は、前記光軸を含む面に沿う板状の被挟持部を有し、
前記被挟持部は、前記第１筐体と前記第２筐体とを固定することで、前記挟持部に挟持されることを特徴とするプロジェクター。
【請求項４】
請求項１〜請求項３のいずれか一項に記載のプロジェクターであって、
前記光源および前記光変調装置を収納し、前記外装筐体に固定される固定部を有する光学部品用筐体をさらに備え、
前記保持部は、前記挟持部に挟持される被挟持部を有して前記光学部品用筐体に取り付けられ、
前記被挟持部は、前記光変調装置の光路後段側に設けられ、
前記固定部は、前記光変調装置の光路前段側で、前記光軸を含む仮想鉛直面の一方の側に設けられていることを特徴とするプロジェクター。
【請求項５】
請求項２〜請求項４のいずれか一項に記載のプロジェクターであって、
前記投写レンズは、内部に複数のレンズを収納する鏡筒と、
前記鏡筒に対する回転により、前記複数のレンズのうち少なくとも１つのレンズを移動させ、前記被挟持部の光路後段側に配置される回転部材と、
を備えていることを特徴とするプロジェクター。
【請求項６】
請求項１〜請求項５のいずれか一項に記載のプロジェクターであって、
前記挟持部は、前記光軸を含む仮想鉛直面を挟んで両側に設けられた第１の挟持部および第２の挟持部を有していることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調する光変調装置、および光変調装置にて変調された光を投写する投写レンズを備え、スクリーン等の投写面に投写するプロジェクターが知られている（例えば、特許文献１参照）。また、近年、投写面に近い位置からの投写（近接投写）が可能な短焦点レンズを備えたプロジェクターが知られている。
【０００３】
特許文献１に記載されているプロジェクターは、光学部品用筐体、および光学部品用筐体に取り付けられる保持部材を備えている。光学部品用筐体は、光源から光変調装置に至る光学系を収納する。保持部材は、投写レンズ（投射光学装置）を保持し、光軸に直交する方向に張り出す張出部が光学部品用筐体の側面に取り付けられている。
【先行技術文献】
【特許文献】
【０００４】
【特許文献１】特開２０１０−２１１１１４号公報
【発明の概要】
【発明が解決しようとする課題】
【０００５】
しかしながら特許文献１の技術は、投写レンズの自重やプロジェクターに加わる衝撃等によって、光学部品用筐体に対する投写レンズの倒れやずれが生じたり、光学部品用筐体が破損したりする恐れがある。そして、投写レンズの倒れやずれ、光学部品用筐体の破損が生じると、投写レンズの光軸と光学部品用筐体内の光学系の光軸とがずれ、投写される画像の画質が劣化するという課題ある。また、投写レンズが近接投写可能な短焦点レンズを備えている場合には、投写レンズがさらに重くなるのでこの課題は顕著となる。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調する光変調装置、および前記光変調装置にて変調された光を投写する投写レンズを備えたプロジェクターであって、前記投写レンズを保持する保持部と、前記投写レンズおよび前記保持部を収納する外装筐体と、前記外装筐体の内面から突出し、前記投写レンズまたは前記保持部を、前記投写レンズの光軸に略直交する方向から挟持する挟持部を備えることを特徴とする。
【０００８】
この構成によれば、投写レンズまたは投写レンズを保持する保持部は、光軸に直交する方向において外装筐体から突出する挟持部に挟持される。これによって、投写レンズは、光軸に直交する方向における移動が規制されるので、自重や、プロジェクターに衝撃や振動が加わることによる位置ずれや倒れが抑制され、所定の位置に安定して維持される。よって、プロジェクターは、重い重量の投写レンズを備えた構成、例えば近接投写が可能な短焦点レンズ等を備えた構成であっても、投写レンズの自重や衝撃等による画質の劣化を抑制し、高品位な画像の投影が可能となる。
【０００９】
［適用例２］上記適用例に係るプロジェクターにおいて、前記外装筐体は、前記光軸を含む仮想面に対して互いに対向して配置される第１筐体および第２筐体を有し、前記挟持部は、前記第１筐体および前記第２筐体に設けられていることが好ましい。
【００１０】
この構成によれば、外装筐体は、光軸を含む仮想面に対して互いに対向して配置される第１筐体および第２筐体を有している。そして、挟持部は、この第１筐体および第２筐体に設けられている。これによって、第１筐体と第２筐体とを固定することで、投写レンズまたは保持部を挟持することができる。よって、挟持部を外装筐体以外の部材で構成する場合に比べ、部品点数の削減や省スペース化を図りつつ投写レンズを所定の位置に安定して維持させることが可能となる。
【００１１】
［適用例３］上記適用例に係るプロジェクターにおいて、前記保持部は、前記挟持部に挟持される被挟持部、および前記光変調装置を取り付ける取付部を有していることが好ましい。
【００１２】
この構成によれば、保持部は、投写レンズおよび光変調装置を保持し、挟持部に挟持される。これによって、投写レンズは、光変調装置に対して高精度に配置される状態の維持が高められると共に、自重や、プロジェクターに衝撃や振動が加わることによる位置ずれや倒れが抑制される。よって、光変調装置にて変調された光は、精度良く投写レンズに入射し、プロジェクターは、高品位な画像の投影が可能となる。
【００１３】
［適用例４］上記適用例に係るプロジェクターにおいて、前記光源および前記光変調装置を収納し、前記外装筐体に固定される固定部を有する光学部品用筐体をさらに備え、前記保持部は、前記挟持部に挟持される被挟持部を有して前記光学部品用筐体に取り付けられ、前記被挟持部は、前記光変調装置の光路後段側に設けられ、前記固定部は、前記光変調装置の光路前段側で、前記光軸を含む仮想鉛直面の一方の側に設けられていることが好ましい。
【００１４】
この構成によれば、光学部品用筐体には、固定部が設けられ、保持部を介して投写レンズが取り付けられる。これによって、外装筐体を構成する一部の構成部材に光学部品用筐体を仮固定した後、投写レンズまたは保持部を挟持することができるのでプロジェクター製造の簡素化が図れる。
また、被挟持部は、光変調装置の光路後段側に設けられ、固定部は、光変調装置の光路前段側で、光軸を含む仮想鉛直面の一方の側に設けられている。つまり、固定部は、光変調装置に対して被挟持部の反対側で、光軸に跨らないように形成されている。これによって、光学部品用筐体が外装筐体を構成する一部の構成部材に固定された後、挟持部が被挟持部を挟持した際にも、光学部品用筐体と投写レンズとの間には、捩れ等の負荷が抑制される。よって、光学部品用筐体および投写レンズは、精度よく所定の位置に配置される。
したがって、プロジェクター製造の簡素化を図りつつ、投写レンズと光学部品用筐体に収納されている光学部品とを所定の位置に安定して配置させることが可能となる。
【００１５】
［適用例５］上記適用例に係るプロジェクターにおいて、前記投写レンズは、内部に複数のレンズを収納する鏡筒と、前記鏡筒に対する回転により、前記複数のレンズのうち少なくとも１つのレンズを移動させ、前記被挟持部の光路後段側に配置される回転部材と、を備えていることが好ましい。
【００１６】
回転部材としては、例えば、投写される画像のズームやフォーカスを調整する部材がある。この構成によれば、回転部材は、被挟持部の光路後段側に形成されているので、ズーム調整やフォーカス調整が可能な投写レンズを構成しつつ挟持部および被挟持部を容易に形成することが可能となる。また、回転部材を回転することに伴って、投写レンズには、倒れる方向の力が加わることになるが、回転部材の近傍に被挟持部を形成することで、投写レンズに加わるモーメントの低減が可能となる。よって、ズーム調整やフォーカス調整を行う際の、投写レンズの倒れによる画質の劣化を抑制することが可能となる。
【００１７】
［適用例６］上記適用例に係るプロジェクターにおいて、前記挟持部は、前記光軸を含む仮想鉛直面を挟んで両側に設けられた第１の挟持部および第２の挟持部を有していることが好ましい。
【００１８】
この構成によれば、第１の挟持部および第２の挟持部は、投写レンズの光軸の両側において、投写レンズまたは保持部を挟持することとなる。これによって、投写レンズは、光軸に直交する方向における移動が光軸の両側において規制されるので、自重や、プロジェクターに衝撃や振動が加わることによる位置ずれや倒れがさらに抑制される。
【図面の簡単な説明】
【００１９】
【図１】本実施形態のプロジェクターの外観を示す斜視図。
【図２】本実施形態のプロジェクターの分解斜視図。
【図３】本実施形態の光学ユニットの概略構成を示す模式図。
【図４】本実施形態のロアーケースおよび光学ユニットを上方から見た平面図。
【図５】本実施形態の光学装置、投写レンズ、および保持部を示す斜視図。
【図６】本実施形態の光学部品用筐体、光学装置、および保持部を示す斜視図。
【図７】本実施形態のプロジェクターの斜視図。
【発明を実施するための形態】
【００２０】
以下、本施形態に係るプロジェクターについて、図面を参照して説明する。
本実施形態のプロジェクターは、光源から射出された光束を画像情報に応じて変調してスクリーン等の投写面に拡大投写する。
【００２１】
図１は、本実施形態のプロジェクター１の外観を示す斜視図である。図２は、プロジェクター１の分解斜視図であり、一部の部材を省略した図である。
プロジェクター１は、図１、図２に示すように、外装を構成する外装筐体２、制御部（図示省略）、および光源装置３１、投写レンズ５等を有する光学ユニット３を備えている。
【００２２】
なお、具体的な図示は省略したが、外装筐体２内には、制御部や光学ユニット３に加え、プロジェクター１の内部を冷却するためのファンや空気を導くダクト、制御部や光源装置３１等に電力を供給する電源装置等が配置されている。また、以下では、説明の便宜上、光源装置３１から光束が射出される方向を＋Ｘ方向（右方向）、プロジェクター１から投写される光の方向を＋Ｙ方向（前方向）、図１における上方向を＋Ｚ方向（上方向）として記載する。
【００２３】
〔外装筐体の構成〕
外装筐体２は、合成樹脂製であり、図１に示すように、第１筐体としてのアッパーケース２１、第２筐体としてのロアーケース２２、フロントケース２３、ランプ蓋２４およびサイドケース２５等を備えており、これらは、ネジ等により固定されている。
【００２４】
アッパーケース２１は、図１、図２に示すように、外装筐体２の上部を構成し、ロアーケース２２は、外装筐体２の下部を構成する。そして、アッパーケース２１およびロアーケース２２は、投写レンズ５の光軸５Ｃを含む仮想面（Ｘ−Ｙ平面）に対して互いに対向して配置される。
【００２５】
アッパーケース２１の上面２１Ａには、図１に示すように、略中央に複数の開口部が形成されており、この開口部からプロジェクター１を操作するための複数の操作キー２６が露出している。操作キー２６の後方の上面２１Ａには、光源装置３１が着脱される開口部２１３（図２参照）が設けられており、この開口部２１３は、ランプ蓋２４によって閉塞されている。
【００２６】
操作キー２６の前方の上面２１Ａには、図１に示すように、上方に膨出する膨出部２１１が形成され、膨出部２１１の後方には、開口部２１２が設けられている。この膨出部２１１および開口部２１２が形成された領域に対応する外装筐体２の内部には、投写レンズ５が配置されている。そして、この開口部２１２から投写レンズ５のレバー５４１が露出する。
【００２７】
ロアーケース２２の下部には、図２に示すように、プロジェクター１が机上等に設置される際に設置面に当接する脚部２２１が設けられている。ロアーケース２２の−Ｘ側の側面には、内部の空気が排出される排気口２２４が設けられている。
【００２８】
また、アッパーケース２１およびロアーケース２２には、図２に示すように、内面から突出する挟持部（第１の挟持部２７、第２の挟持部２８）等の複数のボスが形成されている。第１の挟持部２７、第２の挟持部２８は、後述する保持部６を挟持するように形成されている。なお、アッパーケース２１およびロアーケース２２の内面側の構成については、後で詳細に説明する。
【００２９】
フロントケース２３は、外装筐体２の前部を構成する。フロントケース２３には、図１に示すように、アッパーケース２１の膨出部２１１に倣う形状の膨出部２３１が形成され、この膨出部２３１の下方には、投写レンズ５から投写される光が通過する投写用開口部２３２が設けられている。また、フロントケース２３には、投写用開口部２３２の下側が前方に膨出する膨出部２３３が形成されている。
【００３０】
サイドケース２５は、図１に示すように、外装筐体２の＋Ｘ側の側面の一部を形成し、アッパーケース２１とロアーケース２２との間に配置される。サイドケース２５には、外気を取り込むための吸気口２５１が設けられている。
【００３１】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御を行う。
【００３２】
〔光学ユニットの構成〕
光学ユニット３は、制御部による制御の下、光源装置３１から射出された光束を光学的に処理して投写する。
図３は、光学ユニット３の概略構成を示す模式図である。図４は、ロアーケース２２および光学ユニット３を上方から見た平面図である。
【００３３】
光学ユニット３は、図３、図４に示すように、光源装置３１、インテグレーター照明光学系３２、色分離光学系３３、リレー光学系３４、電気光学装置３５、これら光源装置３１〜電気光学装置３５を光路上の所定位置に配置する光学部品用筐体４、投写レンズ５、および保持部６を備えている。
光学ユニット３は、図３、図４に示すように、光源装置３１〜投写レンズ５が一端から他端に向かって順次配置され、平面視略Ｌ字状に構成されている。
【００３４】
光源装置３１は、図３に示すように、超高圧水銀ランプやメタルハライドランプ等からなる放電型の光源３１１、リフレクター３１２および光透過部材としての平行化レンズ３１３等を備えている。光源装置３１は、光源３１１から射出された光束をリフレクター３１２にて反射した後、平行化レンズ３１３よって射出方向を揃え、インテグレーター照明光学系３２に向けて射出する。
【００３５】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｌに対して略直交する面内にマトリックス状に配列される複数の小レンズを備えている。
【００３６】
第２レンズアレイ３２２は、第１レンズアレイ３２１と略同様の構成を有しており、重畳レンズ３２４とともに、第１レンズアレイ３２１から射出された部分光束を後述する液晶パネル３５２の表面に重畳させる。
偏光変換素子３２３は、第２レンズアレイ３２２から射出されたランダム偏光光を液晶パネル３５２で利用可能な略１種類の偏光光に揃える機能を有する。
【００３７】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００３８】
リレー光学系３４は、入射側レンズ３４１、リレーレンズ３４３、および反射ミラー３４２，３４４を備え、色分離光学系３３で分離されたＲ光をＲ光用の液晶パネル３５２Ｒまで導く機能を有する。なお、光学ユニット３は、リレー光学系３４がＲ光を導く構成としているが、これに限らず、例えば、Ｂ光を導く構成としてもよい。
【００３９】
電気光学装置３５は、色分離光学系３３で分離された各色光を画像情報に応じて変調し、変調した各色光を合成する。電気光学装置３５は、図３に示すように、入射側偏光板３５１、光変調装置としての液晶パネル３５２、射出側偏光板３５３、クロスダイクロイックプリズム３５４、フレーム３５５および支持部材７（いずれも図４参照）を備えている。また、液晶パネル３５２、射出側偏光板３５３、クロスダイクロイックプリズム３５４、フレーム３５５および支持部材７は光学装置３５０として構成される。
【００４０】
入射側偏光板３５１、液晶パネル３５２および射出側偏光板３５３は、３色の色光毎に備えられている（Ｒ光用の液晶パネルを３５２Ｒ、Ｇ光用の液晶パネルを３５２Ｇ、Ｂ光用の液晶パネルを３５２Ｂとする）。そして、入射側偏光板３５１は、光学部品用筐体４に配置され、液晶パネル３５２および射出側偏光板３５３は、フレーム３５５を介してクロスダイクロイックプリズム３５４に取り付けられる。
【００４１】
クロスダイクロイックプリズム３５４は、４つの直角プリズムを貼り合わせた平面視略正方形状をなし、直角プリズム同士を貼り合わせた界面には、２つの誘電体多層膜が形成されている。
クロスダイクロイックプリズム３５４は、各色光の入射側偏光板３５１および液晶パネル３５２がそれぞれ取り付けられる３つの光入射側端面を有している。そして、クロスダイクロイックプリズム３５４は、誘電体多層膜が液晶パネル３５２Ｒ，３５２Ｂにて変調された色光を反射し、液晶パネル３５２Ｇにて変調された色光を透過して、各色光を合成する。
【００４２】
図５は、光学装置３５０、投写レンズ５、および保持部６を示す斜視図である。図６は、光学部品用筐体４、光学装置３５０、および保持部６を示す斜視図であり、図５とは反対方向から見た図である。
フレーム３５５は、板金製であり、図５、図６に示すように、各液晶パネル３５２を保持するように形成されている。
【００４３】
支持部材７は、液晶パネル３５２および射出側偏光板３５３が取り付けられたクロスダイクロイックプリズム３５４を支持し、保持部６に取り付けられる。
支持部材７は、図５、図６に示すように、クロスダイクロイックプリズム３５４の３つの光入射側端面に交差する上面に固定される。
【００４４】
支持部材７は、図６に示すように、Ｘ−Ｚ平面に沿って延出する延出部７１を有し、延出部７１には、Ｙ方向に貫通し、ネジＳＣが挿通される３つの挿通孔が形成されている。この挿通孔は、延出部７１の中央部、＋Ｘ側端部近傍および−Ｘ側端部近傍に形成されている。そして、延出部７１の隣り合う挿通孔の間には、保持部６との位置決めを行うための２つのガイド穴７１Ｇが設けられている。
【００４５】
光学部品用筐体４は、図６に示すように、下部筐体４１、および上部筐体４２を備えている。
下部筐体４１は、ＢＭＣ（Bulk Molding Compound）等の高耐熱材料で形成され、ロアーケース２２の底面に沿って配置される底面部と、底面部の端縁から起立する側面部とを有し、上方が開口する箱状に形成されている。
下部筐体４１は、一方の端部（−Ｘ側端部）に光源装置３１が着脱可能に収納される光源収納部４１１が形成され、他方の端部に光学装置３５０が収納される光学装置収納部４１２が形成されている。そして、光源収納部４１１と光学装置収納部４１２との間の側面部の内壁面には、複数の溝が設けられている。第１レンズアレイ３２１等の各光学部品は、側端部がこの溝に挿入されて配置される。
【００４６】
光学装置収納部４１２には、図６に示すように、＋Ｙ側の側面部に開口部が設けられ、この開口部の両端には、一対の壁部４１２１が形成されている。
一対の壁部４１２１の＋Ｙ側の面には、ネジ穴４１２Ｎおよびガイド穴４１２Ｇが設けられている。また、一対の壁部４１２１には、ガイド穴４１２Ｇの下方に、前方に突出する突起部４１２２がそれぞれ設けられている。そして、この突起部４１２２には、上下方向に貫通し、ネジＳＣが挿通される挿通孔４１２２Ｈが形成されている。
【００４７】
また、下部筐体４１には、側面部から突出する２つの固定部４１３，４１４が形成されている。
具体的に、固定部４１３は、図６に示すように、光源装置３１近傍の前側（＋Ｙ側）の側面部から突出して形成されている。固定部４１４は、図４に示すように、光軸５Ｃを含む仮想鉛直面の−Ｘ側の後側（−Ｙ側）の側面部から突出して形成されている。このように、固定部４１３，４１４は、電気光学装置３５の光路前段側で、光軸５Ｃを含む仮想鉛直面の−Ｘ側に設けられている。そして、固定部４１３，４１４には、ネジＳＣ（図４参照）が挿通される挿通孔４１Ｈがそれぞれ形成されている（固定部４１４の挿通孔４１Ｈは図示省略）。
【００４８】
上部筐体４２は、ガラス繊維入りのＰＣ（Polycarbonate）等の合成樹脂製であり、図６に示すように、下部筐体４１の上方の開口部を覆いうように形成されている。そして、上部筐体４２は、光学装置収納部４１２の上方においては、光学装置３５０が配置可能に凹部を有し、下部筐体４１にネジ固定される。
【００４９】
投写レンズ５は、光軸５Ｃ（図３参照）に沿って配置される複数のレンズ（一部のレンズは、図示省略）を有して構成され、クロスダイクロイックプリズム３５４から射出された光をスクリーン上に拡大投写する。本実施形態の投写レンズ５は、短焦点および広角化に寄与するレンズを備え、近接投写が可能に構成されている。投写レンズ５の構成については、後で詳細に説明する。
【００５０】
保持部６は、図４に示すように、電気光学装置３５の光路後段側に配置される。そして、保持部６は、投写レンズ５および光学装置３５０を保持し、光学部品用筐体４に取り付けられる。保持部６の構成については、後で詳細に説明する。
【００５１】
〔投写レンズの取付構造〕
ここで、投写レンズ５の取付構造について説明する。
先ず、投写レンズ５について、詳細に説明する。
投写レンズ５は、図５に示すように、複数のレンズの中で最も光路後段側に位置する前側レンズ５１、鏡筒５２、鏡筒５２内に配置される複数のレンズ（図示省略）、レンズ枠５３、およびフォーカスリング５４を備えている。フォーカスリング５４は、複数のレンズのうち少なくとも１つのレンズを移動させる回転部材に相当する。
【００５２】
前側レンズ５１は、広角化に寄与するレンズであり、外形寸法が鏡筒５２の外形寸法より大きく形成されている。また、前側レンズ５１は、図５に示すように、下側の端部が削除されたような形状を有し、投写レンズ５に入射する光は、前側レンズ５１から上方に向かって射出される。
【００５３】
鏡筒５２は、図５に示すように、フランジ部５２１、フランジ部５２１の光路前段側（−Ｙ側）を形成する前段側形成部５２２、フランジ部５２１の光路後段側（＋Ｙ側）を形成する後段側形成部５２３を有している。
フランジ部５２１は、光軸５Ｃ方向における鏡筒５２の略中央部に設けられ、光軸５Ｃに対して略直交する方向に突出し、平面視矩形状に形成されている。フランジ部５２１は、平面視矩形状に形成され、四隅には、ネジ孔５２１Ｎが形成されている。フランジ部５２１は、投写レンズ５が保持部６に支持される部位であり、鏡筒５２の略中央部に形成されることで、投写レンズ５は、重心位置に近い位置が支持されることとなる。また、フランジ部５２１には、保持部６との位置決めを行うためのガイド穴５２１Ｇが設けられている。
【００５４】
前段側形成部５２２は、図５に示すように、フランジ部５２１の光路前段側から延出し、外形が直方体状の角柱部５２２１、および角柱部５２２１の光路前段側から延出し、外形が円柱状の円柱部５２２２を有している。
【００５５】
後段側形成部５２３は、詳細な図は省略するが、外形が円柱の筒状に形成され、内部に図示しない回転筒やフォーカス調整に寄与するレンズ等が配置される。
レンズ枠５３は、前側レンズ５１を保持し、後段側形成部５２３に図示しない部材を介して固定される。
【００５６】
フォーカスリング５４は、筒状に形成され、後段側形成部５２３が挿通される。そして、フォーカスリング５４は、フランジ部５２１とレンズ枠５３との間に、鏡筒５２に対して回転可能に配置される。
フォーカスリング５４の外周面には、図５に示すように、光軸５Ｃに交差する方向に突出するレバー５４１が設けられている。このレバー５４１は、前述したようにアッパーケース２１の開口部２１２から露出する（図１参照）。
【００５７】
投写レンズ５は、レバー５４１が把持されてフォーカスリング５４が回転されることによって、後段側形成部５２３内の回転筒が回転し、この回転筒に案内されたフォーカス調整に寄与するレンズが移動してフォーカスが調整される。なお、本実施形態のプロジェクター１は、電気的に調整する電子ズームによってズーム調整が行われるように構成されている。
【００５８】
〔保持部の構成〕
次に、保持部６について詳細に説明する。
保持部６は、アルミニウム等の金属製であり、図５に示すように、筒状に形成されている。保持部６には、＋Ｙ側の端部に投写レンズ５が取り付けられ、−Ｙ側の端部に光学装置３５０が取り付けられる。
【００５９】
保持部６は、図５、図６に示すように、フランジ部５２１を支持するフランジ支持部６１、および鏡筒５２の前段側形成部５２２が挿通される鏡筒挿通部６２を有し、鏡筒挿通部６２の外面には、一対のリブ６３，６４、および一対の突起部６５，６６が設けられている。なお、保持部６は、金属製に限らずガラス繊維等を含む剛性の高い合成樹脂等で形成してもよい。
【００６０】
フランジ支持部６１は、図５に示すように、投写レンズ５のフランジ部５２１に対向して形成され、フランジ部５２１と同様に平面視矩形状に形成されている。そして、フランジ支持部６１には、フランジ部５２１のガイド穴５２１Ｇに挿入されるガイドピン６１Ｐ、およびフランジ部５２１のネジ孔５２１Ｎに螺合するネジが挿通される挿通孔６１Ｈが設けられている。
【００６１】
鏡筒挿通部６２は、平面視においてフランジ支持部６１より小さい直方体状に形成されている。鏡筒挿通部６２の−Ｙ側の端部（取付部６２１）には、光学装置３５０が取り付けられる。
取付部６２１には、図５に示すように、支持部材７のガイド穴７１Ｇ（図６参照）に挿通されるガイドピン６２Ｐ、および延出部７１の挿通孔から飛び出るネジＳＣ（図６参照）が螺合するネジ穴６２Ｎが形成されている。
【００６２】
リブ６３は、図５に示すように、鏡筒挿通部６２の＋Ｘ側に設けられ、フランジ支持部６１、および鏡筒挿通部６２から突出している。
リブ６３は、光軸５Ｃを含むＸ−Ｙ平面に沿う板状の被挟持部６３Ｋ、および被挟持部６３Ｋの後方に設けられたＬ字状の突起部６３１を有している。
【００６３】
被挟持部６３Ｋは、外装筐体２の後述する第１の挟持部２７（図２参照）に挟持される部位であり、フランジ支持部６１近傍には、上下方向に貫通する貫通孔６３Ｈが形成されている。そして、貫通孔６３Ｈの前側の被挟持部６３Ｋの上下には、被挟持部６３Ｋとフランジ支持部６１とにそれぞれ接続される補強部６３２が設けられている。また、貫通孔６３Ｈの後側の被挟持部６３Ｋの上下には、被挟持部６３Ｋと鏡筒挿通部６２とにそれぞれ接続される補強部６３３が設けられている。
【００６４】
突起部６３１は、被挟持部６３Ｋの後端から下方に延出した後、後方に延出するＬ字状に形成され、後方に延出する部位には、下方に延出するネジ穴６３１Ｎが形成されている。また、突起部６３１の後方に延出する部位は、光学部品用筐体４の＋Ｘ側の突起部４１２２（図６参照）の下方に位置するように形成されており、ネジ穴６３１Ｎは、挿通孔４１２２Ｈに対応する位置に設けられている。
【００６５】
リブ６４は、図６に示すように、鏡筒挿通部６２の−Ｘ側に設けられ、リブ６３と略対称の形状を有して形成されている。具体的に、リブ６４は、リブ６３と同様に、被挟持部６４Ｋ、および突起部６４１を有し、被挟持部６４Ｋには、貫通孔６４Ｈが形成され、貫通孔６４Ｈの前側および後側には、補強部６４２，６４３が設けられている。
【００６６】
被挟持部６４Ｋは、外装筐体２の後述する第２の挟持部２８（図２参照）に挟持される部位である。突起部６４１の後方に延出する部位は、光学部品用筐体４の−Ｘ側の突起部４１２２（図６参照）の下方に位置するように形成されており、挿通孔４１２２Ｈに対応する位置にネジ穴（図示省略）が形成されている。
このように、被挟持部６３Ｋ，６４Ｋは、光軸５Ｃを含む仮想鉛直面を挟んで両側に形成されている。
【００６７】
突起部６５は、図６に示すように、鏡筒挿通部６２の−Ｘ側に設けられ、光学部品用筐体４の−Ｘ側の壁部４１２１に対応して形成されている。突起部６５には、壁部４１２１のガイド穴４１２Ｇに挿通されるガイドピン６５Ｐ、および壁部４１２１のネジ穴４１２Ｎに螺合されるネジが挿通される挿通孔６５Ｈが形成されている。
【００６８】
突起部６６は、図５に示すように、鏡筒挿通部６２の＋Ｘ側に設けられ、光学部品用筐体４の＋Ｘ側の壁部４１２１に対応して形成されている。突起部６６には、突起部６５と同様に、壁部４１２１のガイド穴４１２Ｇに挿通されるガイドピン６６Ｐ、および壁部４１２１のネジ穴４１２Ｎに螺合されるネジが挿通される挿通孔６６Ｈが形成されている。
【００６９】
保持部６には、前述したように、取付部６２１（−Ｙ側の端部）に光学装置３５０が取り付けられ、＋Ｙ側の端部に投写レンズ５が取り付けられる。そして、光学装置３５０および投写レンズ５が取り付けられた保持部６は、挿通孔６５Ｈ，６６Ｈおよび挿通孔４１２２Ｈにネジが挿通されて光学部品用筐体４の壁部４１２１に取り付けられる。そして、光学ユニット３は、ロアーケース２２に取り付けられる。
【００７０】
〔光学ユニットの取付構造〕
先ず、アッパーケース２１およびロアーケース２２の内面側の構成について説明する。
前述したように、アッパーケース２１およびロアーケース２２には、第１の挟持部２７および第２の挟持部２８が設けられている。
【００７１】
図２に戻って、第１の挟持部２７は、アッパーケース２１の内面から突出する上側挟持部２７Ｕ、およびロアーケース２２の内面から突出する下側挟持部２７Ｄを有し、被挟持部６３Ｋを光軸５Ｃに直交する方向から挟持するように形成されている。上側挟持部２７Ｕの下面には、ネジ穴が設けられ、下側挟持部２７Ｄは、上面にネジが挿通される挿通孔を有して筒状に形成されている。そして、上側挟持部２７Ｕのネジ穴および下側挟持部２７Ｄの挿通孔は、被挟持部６３Ｋに設けられた貫通孔６３Ｈに対応する位置に形成されている。
【００７２】
第２の挟持部２８は、アッパーケース２１の内面から突出する上側挟持部２８Ｕ、およびロアーケース２２の内面から突出する下側挟持部２８Ｄを有し、被挟持部６４Ｋ（図６参照）を光軸５Ｃに直交する方向から挟持するように形成されている。上側挟持部２８Ｕの下面には、ネジ穴が設けられ、下側挟持部２８Ｄは、上面にネジが挿通される挿通孔を有して筒状に形成されている。そして、上側挟持部２８Ｕのネジ穴および下側挟持部２８Ｄの挿通孔は、被挟持部６４Ｋに設けられた貫通孔６４Ｈに対応する位置に形成されている。
このように、第１の挟持部２７および第２の挟持部２８は、光軸５Ｃを含む仮想鉛直面を挟んで両側に形成される。
【００７３】
また、ロアーケース２２には、図２に示すように、上方（＋Ｚ方向）に向かって突出するユニット固定用ボス２２２，２２３、およびケース固定用ボス２２５が設けられている。
【００７４】
ユニット固定用ボス２２２，２２３は、光学ユニット３が仮固定されるボスである。ユニット固定用ボス２２２は、図２に示すように、光学部品用筐体４の固定部４１４の下方に位置するように形成され、ユニット固定用ボス２２３は、固定部４１３（図４参照）の下方に位置するように形成されている。ユニット固定用ボス２２２，２２３は、図２に示すように、先端側の径が基端側の径より小さい円柱状の突起が２段に重なる形状を有し、先端側には、固定部４１３，４１４の挿通孔４１Ｈに対応するネジ穴が設けられている。なお、ユニット固定用ボス２２２，２２３の基端側の円柱状の突起は、成形時にヒケが生じないように筒状に形成されている。
【００７５】
ケース固定用ボス２２５は、詳細な説明は省略するが、下側挟持部２７Ｄ，２７Ｕと同様に、上面にネジが挿通される挿通孔を有して筒状に形成され、ロアーケース２２の角部近傍等に複数設けられている。
【００７６】
また、アッパーケース２１には、ロアーケース２２のケース固定用ボス２２５に対応する位置にケース固定用ボス（図示省略）が設けられ、このケース固定用ボスには、ロアーケース２２のケース固定用ボス２２５の挿通孔に対応するネジ穴が設けられている。
【００７７】
次に、光学ユニット３が固定される手順について説明する。
光学ユニット３は、図４に示すように、固定部４１３，４１４の挿通孔４１Ｈ（図６参照）にネジＳＣが挿通されてユニット固定用ボス２２２，２２３（図２参照）に仮固定される。
【００７８】
ロアーケース２２に仮固定された光学ユニット３は、アッパーケース２１がロアーケース２２に固定されることによって本固定され、所定の位置に安定して配置される。
具体的に、アッパーケース２１は、下側挟持部２７Ｄ，２８Ｄおよびケース固定用ボス２２５の挿通孔から挿入されたネジがアッパーケース２１の上側挟持部２７Ｕ，２８Ｕおよびケース固定用ボスのネジ穴にネジ締めされて、ロアーケース２２に固定される。
【００７９】
光学ユニット３は、下側挟持部２７Ｄ，２８Ｄの挿通孔から挿通されたネジが上側挟持部２７Ｕ，２８Ｕのネジ穴にネジ締めされることによって本固定される。
図７は、プロジェクター１の斜視図であり、一部を断面で示した図である。
アッパーケース２１がロアーケース２２に固定されることで、被挟持部６３Ｋは、図７に示すように、第１の挟持部２７（上側挟持部２７Ｕと下側挟持部２７Ｄと）に挟持され、図示は省略するが、被挟持部６４Ｋは、第２の挟持部２８（上側挟持部２８Ｕと下側挟持部２８Ｄと）に挟持される。
【００８０】
このように、投写レンズ５を保持する保持部６は、外装筐体２に設けられた第１の挟持部２７および第２の挟持部２８によって、光軸５Ｃに略直交する方向から挟持される。また、保持部６は、光軸５Ｃを含む仮想鉛直面を挟んで両側が挟持される。
【００８１】
以上説明したように、本実施形態のプロジェクター１によれば、以下の効果を得ることができる。
（１）投写レンズ５を保持する保持部６は、光軸５Ｃに直交する方向において外装筐体２から突出する挟持部（第１の挟持部２７および第２の挟持部２８）に挟持される。これによって、投写レンズ５は、光軸５Ｃに直交する方向における移動が規制されるので、自重や、プロジェクター１に衝撃や振動が加わることによる位置ずれや倒れが抑制され、所定の位置に安定して維持される。よって、プロジェクター１は、重い重量の投写レンズ５を備えた構成、例えば近接投写が可能な短焦点レンズ等を備えた構成であっても、投写レンズ５の自重や衝撃等による画質の劣化を抑制し、高品位な画像の投影が可能となる。
【００８２】
（２）ロアーケース２２（第２筐体）とアッパーケース２１（第１筐体）とを固定することで、保持部６を挟持することができる。よって、第１の挟持部２７や第２の挟持部２８を外装筐体２以外の部材で構成する場合に比べ、部品点数の削減や省スペース化を図りつつ投写レンズ５を所定の位置に安定して維持させることが可能となる。
【００８３】
（３）保持部６は、投写レンズ５および光学装置３５０を保持し、挟持部に挟持される。これによって、投写レンズ５は、光学装置３５０に対して高精度に配置される状態の維持が高められると共に、自重や、プロジェクター１に衝撃や振動が加わることによる位置ずれや倒れが抑制される。よって、光学装置３５０にて変調された光は、精度良く投写レンズ５に入射し、プロジェクター１は、高品位な画像の投影が可能となる。
【００８４】
（４）光学ユニット３をロアーケース２２に仮固定した後、アッパーケース２１をロアーケース２２に組み付けることで、保持部６を挟持することができるのでプロジェクター１製造の簡素化が図れる。
また、被挟持部６３Ｋ，６４Ｋは、光学装置３５０の光路後段側に設けられ、固定部４１３，４１４は、光学装置３５０の光路前段側で、光軸５Ｃを含む仮想鉛直面の一方の側に設けられている。つまり、固定部４１３，４１４は、光学装置３５０に対して被挟持部６３Ｋ，６４Ｋの反対側で、光軸５Ｃに跨らないように形成されている。これによって、光学ユニット３がロアーケース２２に仮固定された後、挟持部が被挟持部６３Ｋ，６４Ｋを挟持した際にも、光学部品用筐体４と投写レンズ５との間には、捩れ等の負荷が抑制される。よって、光学部品用筐体４および投写レンズ５は、精度よく所定の位置に配置される。
したがって、プロジェクター１製造の簡素化を図りつつ、投写レンズ５と光学部品用筐体４に収納されている光学部品とを所定の位置に安定して配置させることが可能となる。
【００８５】
（５）フォーカスリング５４は、被挟持部６３Ｋ，６４Ｋの光路後段側に形成されているので、フォーカス調整が可能な投写レンズ５を構成しつつ挟持部および被挟持部６３Ｋ，６４Ｋを容易に形成することが可能となる。また、フォーカスリング５４を回転することに伴って、投写レンズ５には、倒れる方向の力が加わることになるが、被挟持部６３Ｋ，６４Ｋは、フォーカスリング５４の近傍に形成されているので、投写レンズ５に加わるモーメントの低減が可能となる。よって、フォーカスを調整する際の、投写レンズ５の倒れによる画質の劣化を抑制することが可能となる。
【００８６】
（６）第１の挟持部２７および第２の挟持部２８は、光軸５Ｃの両側において、保持部６を挟持する。これによって、投写レンズ５は、光軸５Ｃに直交する方向における移動が光軸５Ｃの両側において規制されるので、自重や、プロジェクター１に衝撃や振動が加わることによる位置ずれや倒れがさらに抑制される。
【００８７】
（７）投写レンズ５は、重心位置に近い位置に設けられたフランジ部５２１が保持部６に支持され、フランジ部５２１接続されている被挟持部６３Ｋ，６４Ｋが挟持されるので、所定の位置へのさらに安定した維持が可能となる。
【００８８】
（変形例）
なお、前記実施形態は、以下のように変更してもよい。
前記実施形態の挟持部は、保持部６を挟持するように構成されているが、投写レンズ５を挟持するように構成してもよい。例えば、フランジ部５２１に挟持部で挟持可能な被挟持部を形成し、この被挟持部を挟持するように構成してもよい。
【００８９】
前記第１の挟持部２７および第２の挟持部２８は、外装筐体２に形成されているが、外装筐体２とは異なる部材で構成してもよい。
【００９０】
上側挟持部２７Ｕ，２８Ｕと被挟持部６３Ｋ，６４Ｋとの間、あるいは下側挟持部２７Ｄ，２８Ｄと被挟持部６３Ｋ，６４Ｋとの間に、他の部材（例えば、断熱部材や、高さ調整用のスペーサー等）を介在させて挟持するように構成してもよい。
【００９１】
前記実施形態のプロジェクター１は、ズーム調整を電子ズームで行うように構成されているが、投写レンズ５にズーム調整できる機能を盛り込むように構成してもよい。
【００９２】
前記実施形態のプロジェクター１は、光変調装置として透過型の液晶パネル３５２を用いているが、反射型液晶パネルを利用したものであってもよい。
【００９３】
光源３１１は放電型のランプに限らず、その他の方式のランプや発光ダイオード等の固体光源で構成してもよい。
【符号の説明】
【００９４】
１…プロジェクター、２…外装筐体、３…光学ユニット、４…光学部品用筐体、５…投写レンズ、５Ｃ…光軸、６…保持部、７…支持部材、２１…アッパーケース、２７…第１の挟持部、２７Ｕ，２８Ｕ…上側挟持部、２７Ｄ，２８Ｄ…下側挟持部、２２…ロアーケース、２８…第２の挟持部、３１…光源装置、３５…電気光学装置、５２…鏡筒、５４…フォーカスリング、６３Ｋ，６４Ｋ…被挟持部、３１１…光源、３５０…光学装置、３５２，３５２Ｂ，３５２Ｇ，３５２Ｒ…液晶パネル、６２１…取付部。
【図１】
0005799539.tif 000002
【図２】
0005799539.tif 000003
【図３】
0005799539.tif 000004
【図４】
0005799539.tif 000005
【図５】
0005799539.tif 000006
【図６】
0005799539.tif 000007
【図７】
0005799539.tif 000008